(57)【要約】【課題】宣伝効果を容易に高めることが可能であって、広告を掲示するためのスペースを特に必要としない広告表示装置を提供する。【解決手段】本願の広告表示装置Ｓは、ハーフミラー１５と、ハーフミラー１５の背面に着脱可能に設けられ、光透過材料に描かれた文字や絵柄を含んで構成される広告物２０を収容する収容部１１と、収容部１１の背面に対向して設けられ、面発光する光源体３０と、ハーフミラー１５の前方の状況を動作信号として検出するセンサ２５と、光源体３０を点灯、又は消灯制御する制御部３５と、を具備し、前記制御部３５は、動作信号が検出された時は、光源体３０を消灯制御し、動作信号が検出されない時は、光源体３０を点灯制御する。【選択図】図２
2008020581.tif 000002
【特許請求の範囲】
【請求項１】
ハーフミラーと、
当該ハーフミラーの背面に着脱可能に設けられ、光透過材料に描かれた文字や絵柄を含んで構成される広告物を収容する収容部と、
当該収容部の背面に対向して設けられ、面発光する光源体と、
前記ハーフミラーの前方の状況を動作信号として検出するセンサと、
前記光源体を点灯、又は消灯制御する制御部と、
を具備し、
前記制御部は、
前記動作信号が検出された時は、前記光源体を消灯制御し、前記動作信号が検出されない時は、前記光源体を点灯制御することを特徴とする広告表示装置。
【請求項２】
前記収容部は、
複数の領域に区分けするための仕切体を備え、
前記光源体は、
前記仕切体により仕切られた領域毎に面発光可能になっており、
前記制御部は、
前記動作信号が検出された時は、前記仕切体により仕切られた少なくとも１の領域に対応する光源体を消灯制御し、他の領域に対応する光源体を点灯制御することを特徴とする請求項１に記載の広告表示装置。
【請求項３】
前記光源体の点灯、又は消灯を遅延させるタイマー手段を更に備え、
前記制御部は、
前記タイマー手段により規定された時間だけ前記光源体を点灯、または消灯させることを特徴とする請求項１、又は２に記載の広告表示装置。
【請求項４】
予め規定された時間で光源体の点灯、又は消灯を交互に切り替える切り替え手段を更に備えていることを特徴とする請求項１、又は２に記載の広告表示装置。
【発明の詳細な説明】
【技術分野】
【０００１】
本願は、広告表示装置に関し、特に、ハーフミラーを利用した広告表示装置に関する。
【背景技術】
【０００２】
従来から、ガラス基板の表面に金属皮膜を設けて構成されたハーフミラーが知られている。このハーフミラーは、金属皮膜によってハーフミラーに入射する入射光の一部を反射光として反射させるものであり、建築物の窓ガラスなどに使用されている。
【０００３】
一方、デパートなどには、当該デパートを利用する利用者に対して商品を宣伝する目的で、種々の広告が壁などに掲示されている。当該広告は、当該広告が掲示されている場所を通過する人の視角に入るように設置されている。
【発明の開示】
【発明が解決しようとする課題】
【０００４】
従来の広告表示方法は、上記に示すように、デパートなどの人が通る経路の脇などに広告が掲示されているだけであるため、多少の宣伝効果は得られるものの、実質的にはあまり宣伝効果が得られていないのが現状である。
【０００５】
また、広告を掲示するためのスペースが必要となるとともに、多くの広告を壁などに掲示すれば見栄えも悪く、利用者の興味を引くというよりは、むしろ悪影響を及ぼすことにもなりかねないという問題がある。
【０００６】
そこで、このような課題の一例を解消するために、本願は、宣伝効果を容易に高めることが可能であって、広告を掲示するためのスペースを特に必要としない広告表示装置を提供することを目的とする。
【課題を解決するための手段】
【０００７】
上述した課題を解決するため、本願請求項１に記載の広告表示装置（Ｓ）は、ハーフミラー（１５）と、当該ハーフミラーの背面に着脱可能に設けられ、光透過材料に描かれた文字や絵柄を含んで構成される広告物（２０）を収容する収容部（１１）と、当該収容部の背面に対向して設けられ、面発光する光源体（３０）と、前記ハーフミラーの前方の状況を動作信号として検出するセンサ（２５）と、前記光源体を点灯、又は消灯制御する制御部（３５）と、を具備し、前記制御部は、前記動作信号が検出された時は、前記光源体を消灯制御し、前記動作信号が検出されない時は、前記光源体を点灯制御することを特徴とする。
【０００８】
このように構成された広告表示装置は、ハーフミラーの前方に人間などが来たときのみ、光源体を消灯させるようになっている。よって、ハーフミラーの前方に人間などがいない時には、光源体は点灯しており、ハーフミラーには広告物が透過して表示されるようになっている。また、ハーフミラーの前方に人間などがいる時には、光源体は消灯するので、ハーフミラーは鏡として利用可能になる。通常、ハーフミラーには広告物が表示されているので、広告機能を発揮する。このように広告表示機能と鏡としての機能を兼用することが可能となり便利である。
【０００９】
また、請求項１に記載の広告表示装置において、前記収容部は、複数の領域に区分けするための仕切体（５０）を備え、前記光源体は、前記仕切体により仕切られた領域毎に面発光可能になっており、前記制御部は、前記動作信号が検出された時は、前記仕切体により仕切られた少なくとも１の領域に対応する光源体を消灯制御し、前記他の領域に対応する光源体を点灯制御することを特徴とする。
【００１０】
このように構成された広告表示装置は、ハーフミラーの前方に人間が来たときのみ、予め規定された領域に対応する光源体を消灯制御し、他の領域に対応する光源体を点灯制御するようになっている。これにより、ハーフミラーの一部の領域を鏡としての機能として利用し、他の領域を広告機能として利用することが可能となる。
【００１１】
また、請求項１、又は２に記載の広告表示装置において、前記光源体の点灯、又は消灯を遅延させるタイマー手段を更に備え、前記制御部は、前記タイマー手段により規定された時間だけ前記光源体を点灯、または消灯させることを特徴とする。
【００１２】
このように構成された広告表示装置は、一定時間のみ光源体が点灯、又は消灯する。よって、一定時間のみ鏡としての機能か、又は広告としての機能として利用することが可能となる。
【００１３】
また、請求項１、又は２に記載の広告表示装置において、予め規定された時間で前記光源体の点灯、又は消灯を交互に切り替える切り替え手段を更に備えていることを特徴とする。
【００１４】
このように構成された広告表示装置は、所定の時間で光源体の点灯、又は消灯が切り替えられる。よって、広告物がハーフミラーに表示されたり消えたりするため、当該広告物を強調して表示することが可能となる。
【発明を実施するための最良の形態】
【００１５】
以下、本願を実施するための最良の形態について、図面を用いて説明する。図１は本願の広告表示装置の外観を示し、図１（ａ）は正面図、図１（ｂ）は背面図、図２は図１のＡ−Ａ断面図、図３は光源体の外観図である。
【００１６】
本実施形態の広告表示装置Ｓは、略矩形上の基体２と、当該基体２の表面に取り付けられる本体枠１０と、を含んで構成される。
【００１７】
本体枠１０は、その外形が前記基体２よりも一回り大きく形成された四角枠体であって、その中央部には開口部１０ａが形成されている。開口部１０ａは、本体枠１０の厚み方向を貫通して形成されており、当該開口部１０ａには、ハーフミラー１５が固定して取り付けられている。ハーフミラー１５は、その前面部が当該本体枠１０の前面部と平坦になるように取り付けられている。また、本体枠１０には、その背面に当該ハーフミラー１５の背面と本体枠１０の枠体１０ｂとにより本願の収容部として機能する凹部１１が形成されている。当該凹部１１には、広告物２０が着脱可能に収容される。ここでいう「広告物２０」は、光透過性を有する材料に文字や絵柄などが描かれて形成されたものであり、例えば、透明、又は半透明の合成樹脂フィルムなどの材料に絵柄や文字が描かれたものである。さらに具体的には、例えば、透明又は半透明のアクリル板などに絵柄や文字を描いたものなどである。
【００１８】
また、本体枠１０の前面下端部中央には、ハーフミラー１５の前方に向かって光源（例えば、赤外光）を照射し当該照射された光源が遮られたか否かによって把握されるハーフミラー１５の前方の状況を検出するセンサ２５を備えている。そして、センサ２５は、当該光源が遮られた場合には、ハーフミラー１５の前方に人間などが存在することを把握し、動作信号として検出するようになっている。当該検出された動作信号は後述する制御部３５に送信される。
【００１９】
ハーフミラー１５は、ガラス板やアクリル板の片面に金属を蒸着させて形成されている。蒸着される金属には、例えば、銀やアルミなどがある。また、酸化を考慮して当該金属の表面に保護膜を形成するようにしても構わない。当該保護膜としては例えば、石英などがある。いずれにしろ、ハーフミラー１５は、鏡と機能するとともに、内部が透過するように形成されていればよい。
【００２０】
一方、基体２は、フランジ状に形成されており、本体枠１０の背面に有する開口部１０ａに嵌め込まれて取り付けられ、基体２の外周部と本体枠１０とが複数の係合部材１３により着脱可能に取り付けられている。
【００２１】
当該基体２の内部には、広告物２０と対向して配置される光源体３０と、当該光源体の点灯、又は消灯制御を行う回路基板からなる制御部３５が取り付けられている。
【００２２】
光源体３０は、例えば、上方が開口された反射体３１で囲まれた内部に点光源としてのＬＥＤ（図示なし）を所定間隔で並置し、当該開口から均一な明るさを得るための光拡散体３２が当該開口に取り付けられて構成されている。ＬＥＤから出た光は、反射体３１で反射を繰り返しながら図中矢印に示す光の出射方向側に設置された拡散体３２で均一に拡散され、図３中矢印で示すように、面発光するようになっている。なお、光源体３０として、一般に知られているＥＬなどを用いても構わない。また、一面が開口され、反射体で囲まれた内部に当該反射体に光を照射させるようにＬＥＤを所定間隔で配置し、ＬＥＤから照射される光を当該反射体で拡散させて間接的に広告物に光を照射するようにしても構わない。
【００２３】
制御部３５は、主として演算機能を有するＣＰＵ（Central Processing Unit）、作業用ＲＡＭ、及び各種データやプログラムを記憶するＲＯＭを含んで構成される回路基板などからなる。当該ＣＰＵが、例えばＲＯＭに記憶された各種プログラムを実行することにより、各部を制御するとともに広告表示装置Ｓ全体を統括制御する。
【００２４】
具体的には、制御部３５は、センサ２５により検出された動作信号に基づいて光源体３０を点灯、又は消灯制御するための駆動信号を生成し、当該駆動信号を光源体３０に送信する。さらに具体的には、制御部３５は、例えば、センサ２５によって検出される動作信号に基づいて、光源体３０を消灯制御するための駆動信号を生成して、当該駆動信号を光源体３０に送信するようになっている。また、制御部３５は、センサ２５によって動作信号が検出されていない状態において、光源体３０を発光制御するための駆動信号を生成して、当該駆動信号を光源体３０に送信するようになっている。このように制御部３５は、センサ２５の検出結果に基づいて（ハーフミラーの前方に人間が存在するかいないかによって）、光源体３０を点灯、又は制御するようになっている。
【００２５】
本実施形態の広告表示装置Ｓは、ハーフミラー１５の前方に人間が存在する場合には、光源体３０を消灯させ、一方、ハーフミラー１５の前方に人間が存在しない場合には、光源体３０を点灯させる。よって、ハーフミラー１５の前方に人間が存在する場合には、ハーフミラー１５を鏡として利用でき、一方、ハーフミラー１５の前方に人間が存在しない場合には、光源体３０の点灯によって広告物２０をハーフミラー１５の表面に表示させることができる。
【００２６】
また、本実施形態の広告表示装置Ｓは、鏡を利用する場所に置かれる（掲示される）ことが好ましい。例えば、デパートなどの化粧品売り場のディスプレイ上に載置されたり、トイレなどに掲示される。特に、化粧品売り場では、メイクなどのサービスを行っており、当該広告表示装置Ｓを置くことによって、当該サービスを利用する利用者は、必ず鏡を利用するとともに、広告物２０が利用者の視角に入ることとなるため、広告機能としての効果をより高めることが可能となる。
【００２７】
以上に説明したように、本実施形態の広告表示装置Ｓは、ハーフミラー１５と、当該ハーフミラー１５の背面に着脱可能に設けられ、光透過材料に描かれた文字や絵柄を含んで構成される広告物２０を収容する凹部１１と、当該凹部１１の背面に対向して設けられる複数の発光ダイオードを内蔵して面発光する光源体３０と、前記ハーフミラーの前方の状況を動作信号として検出するセンサ２５と、前記光源体３０を点灯、又は消灯制御する制御部３５と、を具備し、前記制御部３５は、前記動作信号が検出された時は、前記光源体３０を消灯させ、前記動作信号が検出されない時は、前記光源体３０を点灯させるようになっている。
【００２８】
このように構成された本実施形態の広告表示装置Ｓによれば、ハーフミラー１５の前方に人間が存在するような場合には、当該人間がハーフミラー１５を鏡として利用でき、一方、ハーフミラー１５の前方に人間が存在しない場合には、光源体３０の点灯によって広告物２０をハーフミラー１５の表面に表示させることができる。
【００２９】
よって、鏡が必要な場所に当該広告表示装置Ｓを置くことによって、広告物を掲示するためのスペースは特に必要としない。また、デパートの化粧品売り場などに当該広告表示装置Ｓを置く事によって、当該化粧品売り場を利用する利用者の視角には、必ず広告物が目につくため、宣伝効果を容易に高めることが可能である。
【００３０】
また、広告表示装置Ｓは、所定の時間遅延させて光源体３０を点灯、又は消灯制御するタイマー部を備えるようにしても構わない。当該タイマー部は、例えばセンサ２５と連動させて制御部３５によって機能させる。
【００３１】
具体的には、センサ２５によって動作信号が検出され、制御部３５によって光源体３０が消灯制御された際に、ある一定時間経過後（１５秒間）、元の状態に復帰（光源体３０を点灯制御）させるようになっている。
【００３２】
このようにすれば、所定の時間経過後、ハーフミラー１５に広告物２０が表示されるので、鏡として利用する利用者に対して広告物２０を見てもらうことが可能となるとともに、広告物２０を利用者に対して強く印象づけることが可能となり、広告機能を効果的に発揮させることが可能となる。
【００３３】
なお、センサ２５によって動作信号が検出された時に制御部３５によって光源体３０が点灯制御され、ある一定時間経過後、元の状態に復帰（光源体３０を消灯制御）させるようにしても構わない。このようにすれば、鏡として利用する利用者に対して、ある一定時間広告物２０を見てもらうことが可能となり、広告機能を効果的に発揮させることが可能となる。
【００３４】
また、広告表示装置Ｓは、予め規定された時間で前記光源体３０の点灯、又は消灯を交互に切り替える切り替え部を備えるようにしても構わない。当該切り替え部は、制御部３５によって機能させる。
【００３５】
具体的には、予め規定された時間で制御部３５によって光源体３０の点灯、又は消灯が交互に切り替えられるようになっている。このようにすれば、広告物２０がハーフミラー１５に表示されたり消えたり（見えなくなったり）するため、当該広告物２０を強調して表示することが可能となる。
【００３６】
また、広告表示装置Ｓは、上記に示すセンサ２５に変えて、手動で切り替え可能なスイッチを設けた形態としても構わない。当該スイッチは、光源体３０を点灯、又は消灯に切り替えるためのものである。
【００３７】
この場合、通常、スイッチは、光源体３０を点灯するように切り替えられており、広告表示装置Ｓのハーフミラー１５には広告物２０が表示されている。そして、利用者が当該ハーフミラー１５を鏡として利用するときのみ、手動でスイッチを操作して切り替えることにより、制御部３５は光源体３０を消灯させて当該ハーフミラー１５を鏡として機能するようになっている。
【００３８】
このようにすれば、通常は、光源体３０を点灯させて広告物２０を表示させておき、実際に利用者が利用するときのみ光源体３０を消灯させて当該ハーフミラー１５を鏡として機能させることが可能となる。
【００３９】
図４により本願の他の実施形態における広告表示装置を説明する。なお、図４において、図１〜図３と共通する部分には同一符号を付し、それらの説明は省略する。図４は本願の他の実施形態における広告表示装置の縦断面図である。
【００４０】
本実施形態の広告表示装置Ｓは、本体枠１０に形成されている広告物２０を収容する凹部１１の内部が仕切体５０により仕切られ、複数の領域に区分けされている。また、当該仕切られた領域毎に対応させて光源体３０が配置される。当該光源体３０は別途独立に設けられても良いし、光源体３０の一部領域（本実施形態の場合は、中央を境にして上下の領域）を制御部３５によって点灯、又は消灯制御するようにしても構わない。
【００４１】
具体的には、図４に示すように、例えば、凹部１１には、本体枠１０の内部空間を上下に仕切る仕切体５０が備えられており、広告物２０ａ、２０ｂが凹部１１の上下両方に収容可能になっている。一方、光源体３０は、当該仕切体５０によって仕切られた領域毎に対応させて設けられており、制御部３５によって上下いずれか一方、又は両方の領域を点灯、又は消灯制御可能になっている。
【００４２】
このような広告表示装置Ｓにおいて、本実施形態ではセンサ２５によって動作信号が検出されていない時には、制御部３５によって光源体３０の上下両方の領域を点灯させるように制御される。また、ハーフミラー１５の前方に人間が存在し、センサ２５によって動作信号が検出された場合には、制御部３５によって、光源体３０の上側のみを消灯させ、下側は点灯させたままの状態を維持（点灯）するように制御される。
【００４３】
このようにすれば、ハーフミラー１５の上側部分だけを鏡として機能させ、ハーフミラー１５の下側部分だけに広告物２０ｂが表示される。よって、利用者は、ハーフミラー１５の上側部分を鏡として利用できる。また、ハーフミラー１５の下側部分には広告物２０ｂが表示されているので、利用者がハーフミラー１５の上側部分を鏡として利用している際に、利用者に対して自然に広告物２０ｂが見える状態とすることが可能となり、広告機能を効果的に発揮させることが可能となる。
【００４４】
なお、広告物２０ａ、２０ｂは、凹部１１の上下いずれか一方に収容するようにしても構わない。このようにすれば、仕切体５０によって仕切られた一方の領域を鏡として利用し、他方の領域を広告物２０ａ、２０ｂを表示する領域として利用することが可能となる。また、場合によっては、広告物２０ａ、２０ｂを表示する領域に対応する光源体３０を点灯制御することにより、ハーフミラー１５の全体を鏡として利用することも可能となり便利である。
【００４５】
なお、仕切体によって、本体枠１０の左右を分割（２分割）するようにしても構わないし、本体枠１０の上下左右を分割（４分割）するようにしても構わない。これにより、様々な形態で広告物を表示することが可能となる。また、利用者が鏡として利用したい場合には、制御部３５によって、光源体３０の一定領域を消灯制御しつつ他の領域を点灯制御することにより、ハーフミラー１５を鏡として利用させつつ、広告物を表示することが可能となる。
【００４６】
また、広告表示装置Ｓは、切り替え部を用い、一定の時間毎に、仕切体によって区分けされた領域毎に、制御部３５によって光源体３０を交互に点灯、又は消滅制御させることにより、異なる広告物２０ａ、２０ｂが交互に点灯、又は消灯するので、当該広告物２０ａ、２０ｂを見るものに対して広告物２０ａ、２０ｂをより強調させて表示させることが可能となり、広告機能を効果的に高めることが可能となる。
【００４７】
なお、本実施形態は一形態であって、この形態に限定されるものではない。例えば、本実施形態の本体枠１０やハーフミラー１５は、矩形状に形成されているが、丸型や多角形などどのような形状であっても構わない。その場合において、光源体３０は、当該ハーフミラー１５と同等以上の大きさに形成されていれば良い。よって、ハーフミラー１５を丸型にした場合、光源体３０は当該ハーフミラー１５の形状の外枠が内側に収まるような形状であれば構わない。また、上記に示した実施形態を適宜組み合わせて構成しても構わない。
【図面の簡単な説明】
【００４８】
【図１】本願の広告表示装置の外観を示し、図１（ａ）は正面図、図１（ｂ）は背面図である。
【図２】図１のＡ−Ａ断面図である。
【図３】光源体の外観図である。
【図４】本願の他の実施形態における広告表示装置の縦断面図である。
【符号の説明】
【００４９】
Ｓ  広告表示装置
１５  ハーフミラー
２０  広告物
２５  センサ
３０  光源体
３５  制御部
【図１】
2008020581.tif 000003
【図２】
2008020581.tif 000004
【図３】
2008020581.tif 000005
【図４】
2008020581.tif 000006